(57)【要約】【課題】本考案は、正六角形状の折り目を変更して装着することによって、１枚のストール類によって、少なくとも４通りの意匠性を発揮するストール類を提供することを目的とする。【解決手段】正六角形の布地の表面を３本の対角線で６分割して得た６区分の正三角形領域に、時計回りの順に、模様Ａ、模様Ｂ、模様Ｃ、模様Ｂ、模様Ａ及び模様Ｃを設けた布地であることを特徴とするストール類。【選択図】図１
0003175709.tif 000002
【実用新案登録請求の範囲】
【請求項１】
正六角形の布地の表面を３本の対角線で６分割して得た６区分の正三角形領域に、時計回りの順に、模様Ａ、模様Ｂ、模様Ｃ、模様Ｂ、模様Ａ及び模様Ｃを設けた布地であることを特徴とするストール類。
【請求項２】
請求項１記載のストール類の布地の６区分の正三角形領域のそれぞれの区分の周縁に幅０.５〜６ｃｍの縁を設けたストール類。
【請求項３】
周縁の模様を、時計回りの順に、模様Ａの周縁に模様ａ、模様Ｂの周縁に模様ｂ、模様Ｃの周縁に模様ｃ、模様Ｂの周縁に模様ｂ、模様Ａの周縁に模様ａ及び模様Ｃの周縁に模様ｃを設けた請求項２記載のストール類。
【請求項４】
請求項１記載の正六角形の布地の裏面を３本の対角線で６分割して得た６区分の正三角形領域に、時計回りの順に、模様Ｄ、模様Ｅ、模様Ｆ、模様Ｅ、模様Ｄ及び模様Ｆを設けた布地であることを特徴とするストール類。
【請求項５】
請求項４記載のストール類の布地の裏面の６区分の正三角形領域のそれぞれの区分の周縁に幅０.５〜６ｃｍの縁を設けたストール類。
【請求項６】
周縁の模様を、時計回りの順に、模様Ｄの周縁に模様ｄ、模様Ｅの周縁に模様ｅ、模様Ｆの周縁に模様ｆ、模様Ｅの周縁に模様ｅ、模様Ｄの周縁に模様ｄ及び模様Ｆの周縁に模様ｆを設けた請求項５記載のストール類。
【考案の詳細な説明】
【技術分野】
【０００１】
本考案は、ストール、肩掛け、スカーフ、ショール、ネッカチーフ、襟巻き、マフラー等の首に巻いて又は肩に掛けて身体に装着するストール類の衣類に関する考案である。
【背景技術】
【０００２】
通常、ストール類の模様は、１種類の模様パターンの物が使用されている。また、従来より、ストール類においては、長方形状の布地の表面と裏面と模様を変えて、これを裏返して、着用することによって、複数の模様の意匠性を発揮することは知られている（特許文献１）。
しかし、単に表面と裏面と模様を変える方法では、３通り以上の異なる模様の意匠性を発揮することはできない。
また、連結具をスカーフの両端に取り付けて、その連結具の連結の方法を変えることによって、装着されたスカーフの形状の意匠を変化させることが知られている（特許文献２）。これはスカーフの装着時の形状の意匠の変化であって、模様意匠性の変化ではない。
【先行技術文献】
【特許文献】
【０００３】
【特許文献１】登録実用新案第３１０４０１４号公報
【特許文献２】登録実用新案第３００４８０７号公報
【特許文献３】登録実用新案第３１２６２８３号公報
【考案の概要】
【考案が解決しようとする課題】
【０００４】
本考案は、正六角形状の折り目を変更して装着することによって、１枚のストール類によって、少なくとも４通りの意匠性を発揮するストール類を提供することを目的とする。
【課題を解決するための手段】
【０００５】
本考案者は、正六角形の布地を半折して台形状にして、ストール類として着用すれば、中央部の台形状の幅広部が首周りの膨らみとなって、ボリューム感が出て形の上で豊かな意匠感を演出できることにまず着目した。
次いで、元の正六角形の布地の面を３本の対角線（ｐ−ｐ、ｑ−ｑ、ｒ−ｒ）によって、６区分に別けて、３対の模様を設け、これを各区分に配置すれば、３本の対角線上で半折して装着する着用手段と裏返す着用手段を組み合わせれば、１枚の布地からなるストール類が着用手段を変えるだけで、４通りの意匠性を発揮することを見出し、本考案を完成するに至った。
すなわち、本考案は、
（１）正六角形の布地の表面を３本の対角線で６分割して得た６区分の正三角形領域に、時計回りの順に、模様Ａ、模様Ｂ、模様Ｃ、模様Ｂ、模様Ａ及び模様Ｃを設けた布地であることを特徴とするストール類、
（２）第１項記載のストール類の布地の６区分の正三角形領域のそれぞれの区分の周縁に幅０.５〜６ｃｍの縁を設けたストール類、
（３）周縁の模様を、時計回りの順に、模様Ａの周縁に模様ａ、模様Ｂの周縁に模様ｂ、模様Ｃの周縁に模様ｃ、模様Ｂの周縁に模様ｂ、模様Ａの周縁に模様ａ及び模様Ｃの周縁に模様ｃを設けた第２項記載のストール類、
（４）第１項記載の正六角形の布地の裏面を３本の対角線で６分割して得た６区分の正三角形領域に、時計回りの順に、模様Ｄ、模様Ｅ、模様Ｆ、模様Ｅ、模様Ｄ及び模様Ｆを設けた布地であることを特徴とするストール類、
（５）第４項記載のストール類の布地の裏面の６区分の正三角形領域のそれぞれの区分の周縁に幅０.５〜６ｃｍの縁を設けたストール類、及び
（６）周縁の模様を、時計回りの順に、模様Ｄの周縁に模様ｄ、模様Ｅの周縁に模様ｅ、模様Ｆの周縁に模様ｆ、模様Ｅの周縁に模様ｅ、模様Ｄの周縁に模様ｄ及び模様Ｆの周縁に模様ｆを設けた第５項記載のストール類、
を提供するものである。
【考案の効果】
【０００６】
本考案の効果は下記の通りである。
１．六角形のストール類を中心点から２つ折りにして羽織る形の着用法では１枚で４通りのデザインを体の前面に持ってくることができ、様々なデザインの表現が可能である。
２．本考案ストール類をスカーフとして着用する場合は、捻って巻く着用法をとれば、１枚の中に様々な色とモチーフが混ざり合い、４通り以上の複雑なカラーコンビネーションが可能である。
３．六角形のストール類を柔らかく首に巻く形の着用法では、６つの角の中で、好きなモチーフを体の全面に表現することが可能である。
４．六角形のストール類は上下左右に幅が広く、上下に畳んでも左右に畳んでもボリュームがあり、首元にたっぷりとした膨らみを表現することが可能である。
５．六角形のストール類はどの面も使えるため、巻くときに好きな色を表面にしてストール類を筒状に巻くことによって、色々な色の洋服と組み合わせることができる。
６．六角形のストール類はサイズが大きいために、ストール類を首に巻くだけでなく、腰に巻いたり、エプロン状に体の前に掛けたり、頭にかぶせたり、様々な用途に使用できる。
７．本考案の正六角形の布地は、半折したものを更に半分に折って、先端を細くして結び目を作り、中央部の折り目を解いて、首元をたっぷりと膨らませることができる。
８．ターバン、バンダナ、パレオ、風呂敷等に転用できる。
【図面の簡単な説明】
【０００７】
【図１】本考案ストール類の平面図
【図２】図１のｐ−ｐ線で半折した場合の上半分の平面図
【図３】図２の半折ストール類を着用した正面図
【図４】図１のｐ−ｐ線で半折した場合の下半分の平面図
【図５】図４の半折ストール類を着用した正面図
【図６】図１のｑ−ｑ線で半折した場合の左半分の平面図
【図７】図６の半折ストール類を着用した正面図
【図８】図１のｑ−ｑ線で半折した場合の右半分の平面図
【図９】図８の半折ストール類を着用した正面図
【考案を実施するための形態】
【０００８】
本考案のストール類とは、ストール、肩掛け、スカーフ、ショール、ネッカチーフ、襟巻き、首巻、及びマフラー並びにこれらの物品に転用できる服飾物品（例えば、バンダナ、パレオ、ひざ掛け等）を意味している。
本考案に用いる布地は、天然繊維又は合成繊維からなる織物及び編物であって、模様を設けることができるものであれば、特に、制限なく用いることができる。
本考案の正六角形の模様付き布地は、長尺の布地反物に、図１の正六角形模様を連続的にプリントして染めたものを、模様付き布地プリント模様の模様付き布地を打ち抜く慣用の工程によって製造することができる。
本考案の正六角形の模様付き布地は、図１に示されるように、正六角形の布地を３本の対角線ｐ、ｑ、ｒで６分割して得た６区分の正三角形領域に、時計回りの順に、模様Ａ、模様Ｂ、模様Ｃ、模様Ｂ、模様Ａ及び模様Ｃを設けた布地である。
本考案の模様とは、どのような模様であっても特に制限なく用いることができる。例えば、単なる無地の色彩のみの模様、２色以上の色彩が形成する模様、文字のみの模様及び文字入りの模様及び線又は図形で形成される図案などを使用することができる。
また、６区分の正三角形領域の二つの模様Ａ、二つの模様Ｂ及び二つの模様Ｃは、それぞれ同一の模様であるが、模様の方向は、一方が他方に対して、同一の方向、１２０度右回転した方向、１２０度左回転した方向にすることができる。
また、二つの模様Ａ、二つの模様Ｂ及び二つの模様Ｃを互いに鏡面対称形にすることができる。
そして、これらの模様は、図１の一つのＡ模様から時計回りに、正六角形の布地を３本の対角線ｐ、ｑ、ｒで６分割して得た６区分の正三角形領域に、時計回りの順に、模様Ａ、模様Ｂ、模様Ｃ、模様Ｂ、模様Ａ及び模様Ｃが設けられている。
そして、図１の布地の６区分の正三角形領域のそれぞれの区分の周縁に幅０.５〜６ｃｍの縁を設けられている。
その周縁の模様は、時計回りの順に、模様Ａの周縁に模様ａ、模様Ｂの周縁に模様ｂ、模様Ｃの周縁に模様ｃ、模様Ｂの周縁に模様ｂ、模様Ａの周縁に模様ａ及び模様Ｃの周縁に模様ｃが設けられている。
【０００９】
図１の正六角形の布地を、対角線ｐ−ｐで半折して、上半分を表面側にすると、模様Ａ−模様Ｂ−模様Ｃの図２の台形状の肩掛けになる。これを肩に掛けると、図３のように、右胸前に模様Ａが来て、左胸前に模様Ｃが来る意匠となる。
同じく、対角線ｐ−ｐで半折して、下半分を表面側にすると、模様Ｂ−模様Ａ−模様Ｃの図４の台形状の肩掛けになる。これを肩に掛けると、図５のように、図５のように、右胸前に模様Ｂが来て、左胸前に模様Ｃが来る意匠となる。
同じく、図１の垂直の対角線ｑ−ｑで半折して、左半分を表面側にすると、模様Ａ−模様Ｃ−模様Ａの図６の台形状の肩掛けになる。これを肩に掛けると、図７のように、左右両側に模様Ａが来る意匠となる。
同じく、図１の垂直の対角線ｑ−ｑで半折して、右半分を表面側にすると、模様Ｂ−模様Ｃ−模様Ｂの図８の台形状の肩掛けになる。これを肩に掛けると、図９のように、左右両側に模様Ｂが来る意匠となる。
なお、図６及び図８は、互いに裏返すと、それぞれ図８及び図６と一致する。
本考案によれば、図１の正六角形の布地に、縁取りを設けることができる。この縁取りは、０.５〜６ｃｍの幅にすることができる。縁取りは、布地の側縁の補強と更なる意匠性の発揮となる。
そして、縁取りの模様（無地の色も含む）は、正三角形区分と同一の組み合わせにすることができる。
【００１０】
図１の正六角形の布地の裏面は、無地の布であっても良いが、裏面にも表面と同様のプリント染めをすることができる。裏面の６区画のプリント染めの全部又は一部を表面と変更することができる。
裏面の６区画のプリント染めの全部を変更した場合には、すなわち、模様Ａ、模様Ｂ及び模様Ｃの代わりに、それぞれ模様Ｄ、模様Ｅ及模様Ｆと変更すると、表面側に半折する場合と、裏面側に半折する場合で、合計８種類の意匠性を発揮することができる。
同じく、裏面の周縁の模様を、時計回りの順に、模様Ｄの周縁に模様ｄ、模様Ｅの周縁に模様ｅ、模様Ｆの周縁に模様ｆを設けることができる。
本考案に用いる模様は、単色の色地も含めて、色彩、絵画、写真、線画、繰り返しパターン図等全ての模様が含まれる。
本考案の表面側に設ける模様Ａ、模様Ｂ及び模様Ｃは、それぞれを区別できる別の模様である。ただし、鏡面対象の模様及び模様がある正三角形の中心で回転させて同一となる模様は同一模様とする。本考案の表面側の模様Ａ、模様Ｂ及び模様Ｃのそれぞれの周縁に設ける模様ａ、模様ｂ及び模様ｃは、前記第２項考案では、特に制限はなく、３模様の同一性の制限及び組み合わせの制限はない。しかし、第３項考案のように、それぞれの組み合わせを特定する方が意匠性に統一ができて望ましい。
本考案第４〜６項の裏面側に設ける模様Ｄ、模様Ｅ及び模様Ｆは、それぞれを区別できる別の模様である。模様Ｄ、模様Ｅ及び模様Ｆは、模様Ａ、模様Ｂ及び模様Ｃの全部又は一部と同一であってもよく、６区分の配置順序を変更することができる。
第４項の考案では、模様Ｄ、模様Ｅ及び模様Ｆ並びに模様Ａ、模様Ｂ及び模様Ｃの６種類が全て区別できる模様であることによって、８種類の意匠性が発揮できるので、好ましい。第５項考案及び第６項考案の周縁の模様ｄ、模様ｅ及び模様ｆの技術的意味は、模様ａ、模様ｂ及び模様ｃと同様である。
【産業上の利用可能性】
【００１１】
ストール類の服飾産業に利用する考案である。
【符号の説明】
【００１２】
Ａ  模様
Ｂ  模様
Ｃ  模様
ａ  周縁模様
ｂ  周縁模様
ｃ  周縁模様
ｐ−ｐ  対角線
ｑ−ｑ  対角線
ｒ−ｒ  対角線
【図１】
0003175709.tif 000003
【図２】
0003175709.tif 000004
【図３】
0003175709.tif 000005
【図４】
0003175709.tif 000006
【図５】
0003175709.tif 000007
【図６】
0003175709.tif 000008
【図７】
0003175709.tif 000009
【図８】
0003175709.tif 000010
【図９】
0003175709.tif 000011